(57)【特許請求の範囲】
【請求項１】
第一部材と、
前記第一部材から第一所定方向へ延びると共に、前記第一所定方向と交差する方向に沿って変形可能な延設部と、前記延設部から、前記交差する方向の一の方向である特定方向へ突出する突出部とを有する係合部と、
前記第一所定方向とは反対の第二所定方向側から前記突出部に対向する対向部を有し、前記係合部に係合する第二部材と、
前記対向部とは異なる位置で固定され、前記延設部の変形に伴って前記係合部が通過する領域に少なくとも一部が進入している固定部と
を備え、
前記第二部材は、前記第二所定方向側から前記固定部を支持する支持部を備えたこと
を特徴とする遊技機。
【請求項２】
前記係合部は、前記延設部から前記特定方向とは反対方向に突出し、且つ前記第一所定方向側から前記固定部に対向する突出片を備えたことを特徴とする請求項１に記載の遊技機。
【請求項３】
前記固定部は、前記第一所定方向と平行な第一軸線を囲む枠状であることを特徴とする請求項１または２に記載の遊技機。
【請求項４】
前記固定部は、前記係合部から離隔する方向に、弾性変形可能であることを特徴とする請求項３に記載の遊技機。
【請求項５】
前記固定部は、弾性変形した状態で前記係合部に接触し、前記係合部を前記特定方向へ付勢することを特徴とする請求項４に記載の遊技機。
【請求項６】
前記固定部は、周方向の一部に開口部分が形成された枠状部材であることを特徴とする請求項５に記載の遊技機。
【請求項７】
前記延設部は、前記第一所定方向と平行に延び、前記固定部が対向して接触する接触面を備えたことを特徴とする請求項１から６のいずれかに記載の遊技機。
【請求項８】
前記固定部は、帯状部材であることを特徴とする請求項１から７のいずれかに記載の遊技機。
【請求項９】
前記係合部は、前記第一所定方向と平行な第一軸線を基準とした周方向に沿って、前記第一部材に複数配置されることを特徴とする請求項１から８のいずれかに記載の遊技機。
【請求項１０】
第一駆動源を備え、
前記第一部材は、前記第一駆動源の駆動に伴って、前記第一所定方向と平行な第一軸線を中心に回転する回転部材であり、
前記第二部材は、前記第一部材と一体的に回転可能であることを特徴とする請求項１から９のいずれかに記載の遊技機。
【請求項１１】
第二駆動源と、
前記第一部材と前記第二部材とを支持し、前記第二駆動源の駆動に伴って動作する移動体と
を備えたことを特徴とする請求項１から１０のいずれかに記載の遊技機。
【請求項１２】
前記移動体を動作可能に支持する支持体と、
前記支持体に設けられ、前記移動体の動作方向に沿って延び、前記移動体の動作を案内する案内部と
を備え、
前記移動体は、
前記第一部材と前記第二部材を、前記動作方向と交差する方向に延びる第二軸線を中心に、回転可能に支持する支持部材と、
前記支持部材に設けられ、前記案内部に対して摺動可能な摺動部と、
前記支持部材を支持し、前記動作方向に動作する移動部材と
を備え、
前記支持部材は、前記摺動部の前記案内部に対する摺動に伴って、前記第二軸線を中心に、回転することを特徴とする請求項１１に記載の遊技機。
【発明の詳細な説明】
【技術分野】
【０００１】
本発明は、遊技機に関する。
【背景技術】
【０００２】
従来、係合部を備えた遊技機が知られている。例えば、特許文献１に開示の遊技機は、封止部材と被封止部材を備える。封止部材には、Ｙ軸方向に延びる二つの第一係合部が、隙間を空けて並んで設けられる。被封止部材の封止対象穴には、Ｙ軸方向に延びる二つの第二係合部が隙間を空けて並んで設けられる。封止部材が被封止部材の封止対象穴に進入する場合、封止部材の二つの第一係合部は、被封止部材の二つの第二係合部の間に進入する。各第一係合部が各第二係合部に係合することで、封止部材は封止対象穴に嵌め込まれる。
【先行技術文献】
【特許文献】
【０００３】
【特許文献１】特許第５８２３６４０号公報
【発明の概要】
【発明が解決しようとする課題】
【０００４】
しかしながら、上記遊技機では、封止部材が封止対象穴に嵌め込まれた後、二つの第二係合部を互いに離間させる力が発生すると、各第一係合部が各第二係合部から外れる虞がある。
【０００５】
本発明の目的は、係合部に係合する部材を外れにくくした遊技機を提供することである。  
【課題を解決するための手段】
【０００６】
本発明に係る遊技機は、第一部材と、前記第一部材から第一所定方向へ延びると共に、前記第一所定方向と交差する方向に沿って変形可能な延設部と、前記延設部から、前記交差する方向の一の方向である特定方向へ突出する突出部とを有する係合部と、前記第一所定方向とは反対の第二所定方向側から前記突出部に対向する対向部を有し、前記係合部に係合する第二部材と、前記対向部とは異なる位置で固定され、前記延設部の変形に伴って前記係合部が通過する領域に少なくとも一部が進入している固定部とを備え、前記第二部材は、前記第二所定方向側から前記固定部を支持する支持部を備えたことを特徴とする。上記構成によれば、係合部と第二部材との互いの係合が解除される方向に、係合部が付勢された場合であっても、係合部は固定部に接触する。よって、遊技機は、係合部に係合する部材である第二部材を外れにくくできる。
固定部は、支持部に支持される位置で、延設部の変形を安定して規制できる。よって、遊技機は、係合部に係合する部材を更に外れにくくできる。
【０００７】
前記遊技機において、前記係合部は、前記延設部から前記特定方向とは反対方向に突出し、且つ前記第一所定方向側から前記固定部に対向する突出片を備えてもよい。固定部は、第一所定方向側への移動を突出片によって制限される。よって、遊技機は、係合部に係合する部材を更に外れにくくできる。
【０００８】
【０００９】
前記遊技機において、前記固定部は、前記第一所定方向と平行な第一軸線を囲む枠状であってもよい。固定部の内側のスペースが活用できるので、遊技機を構成する部材の配置スペースを、有効に利用できる。
【００１０】
前記遊技機において、前記固定部は、前記係合部から離隔する方向に、弾性変形可能であってもよい。遊技機の組み立て作業者は、固定部を所定の組付位置に配置させ易くなる。よって、遊技機は組立性を向上できる。
【００１１】
前記遊技機において、前記固定部は、弾性変形した状態で前記係合部に接触し、前記係合部を前記特定方向へ付勢してもよい。固定部が係合部を特定方向に安定して付勢できるので、第二部材は係合部から更に外れにくくなる。
【００１２】
前記遊技機において、前記固定部は、周方向の一部に開口部分が形成された枠状部材であってもよい。固定部が弾性変形し易くなるので、遊技機は、組立性を更に向上できる。
【００１３】
前記遊技機において、前記延設部は、前記第一所定方向と平行に延び、前記固定部が対向して接触する接触面を備えてもよい。遊技機は、固定部と係合部との接触を安定化できる。
【００１４】
前記遊技機において、前記固定部は、帯状部材であってもよい。固定部の配置スペースが小さくなるので、遊技機を構成する部材の配置スペースを、有効に利用できる。
【００１５】
前記遊技機において、前記係合部は、前記第一所定方向と平行な第一軸線を基準とした周方向に沿って、前記第一部材に複数配置されてもよい。第二部材は係合部から更に外れにくくなる。
【００１６】
前記遊技機において、第一駆動源を備え、前記第一部材は、前記第一駆動源の駆動に伴って、前記第一所定方向と平行な第一軸線を中心に回転する回転部材であり、前記第二部材は、前記第一部材と一体的に回転可能であってもよい。遊技機は、第一部材と第二部材が第一軸線を中心に一体的に回転する場合であっても、第二部材を係合部から外れにくくできる。
【００１７】
前記遊技機において、第二駆動源と、前記第一部材と前記第二部材とを支持し、前記第二駆動源の駆動に伴って動作する移動体とを備えてもよい。第一部材と第二部材が、移動体と共に移動する場合であっても、遊技機は、係合部に係合する第二部材を外れにくくできる。
【００１８】
前記遊技機において、前記移動体を動作可能に支持する支持体と、前記支持体に設けられ、前記移動体の動作方向に沿って延び、前記移動体の動作を案内する案内部とを備え、前記移動体は、前記第一部材と前記第二部材を、前記動作方向と交差する方向に延びる第二軸線を中心に、回転可能に支持する支持部材と、前記支持部材に設けられ、前記案内部に対して摺動可能な摺動部と、前記支持部材を支持し、前記動作方向に動作する移動部材とを備え、前記支持部材は、前記摺動部の前記案内部に対する摺動に伴って、前記第二軸線を中心に、回転してもよい。摺動部が、移動体の移動に伴い案内部に摺動することで、第一部材は、第二部材と共に、第二軸線を中心に回転する。摺動部の案内部に対する摺動に伴って、係合部に力が作用する場合であっても、延設部は弾性変形しにくく、第二部材は係合部から外れにくい。
【図面の簡単な説明】
【００１９】
【図１】パチンコ機１の正面図である。
【図２】装飾体５５が下端位置にある演出装置３０の斜視図である。
【図３】演出装置３０の右側面図である。
【図４】装飾体５５の斜視図である。
【図５】支持機構２００の斜視図である。
【図６】連結機構３００の分解斜視図である。
【図７】互いに係合する回転部材２７３及び筒状体７７の断面図である。
【図８】固定部１５０の拡大斜視図である。
【図９】固定部１５０を省略した孔部５１Ａの拡大斜視図である。
【図１０】回転部材２７３が筒状体７７に係合する前の断面図である。
【図１１】一対の係合部２７９から固定部１５０を分解した拡大斜視図である。
【図１２】装飾体５５が上端位置にある演出装置３０の斜視図である。
【図１３】固定部１５０の変形例である固定部１５１を示す図である。
【図１４】回転部材２７３の変形例である回転部材３３３の斜視図である。
【図１５】回転部材３３３の断面斜視図である。
【図１６】装飾体５５０の斜視図である。
【図１７】回転部材２７３の変形例である回転部材５７３の拡大斜視図である。
【発明を実施するための形態】
【００２０】
本発明の一実施形態であるパチンコ機１について、図面を参照して説明する。以下の説明では、図１の手前側、奥側、上側、下側、左側、および右側を、それぞれ、パチンコ機１の前側（正面側）、後側（背面側）、上側、下側、左側、および右側とする。
【００２１】
図１を参照し、パチンコ機１の概略構成を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、遊技球発射装置（図示略）に遊技球（図示外）を供給し、且つ賞球を受ける。上皿５の上部中央には、遊技者によって操作される操作ボタン９が設けられている。上皿５の直下には、賞球を受ける下皿６が設けられている。下皿６の右横には、遊技球の発射を調整する発射ハンドル７が設けられている。前面枠１３の上部の左右の角には、スピーカ４８がそれぞれ設けられている。
【００２２】
遊技盤２の前面には、ガイドレール３で囲まれた略円形の遊技領域４が形成されている。遊技球発射装置によって発射された遊技球は、遊技領域４内を流下する。遊技領域４の略中央に、枠状の装飾枠１１が配設されている。装飾枠１１の中央下側に、第一始動口１５が設けられている。第一始動口１５の直下に、第二始動口１６が設けられている。第二始動口１６は、普通電動役物開閉ソレノイド（図示略）によって動作する開閉部材（図示略）を備える。第二始動口１６は、開閉部材が開放された場合にのみ遊技球が入賞可能である。第二始動口１６の下側に、遊技領域４の中央下端部まで流下した遊技球を回収するアウト口（図示略）が設けられる。装飾枠１１の左側に、大入賞口１７が配設されている。大入賞口１７は、大入賞口ソレノイド（図示略）によって動作する開閉部材（図示略）を備える。大入賞口１７は、開閉部材が開放された場合にのみ遊技球が入賞可能である。
【００２３】
遊技盤２の後面側には、ＬＣＤ（液晶ディスプレイ）等の表示面２７を有する画像表示装置２８が設けられている。表示面２７は、正面視で装飾枠１１の内側に設けられ、前方に向けて画像を表示可能である。表示面２７には動画、メッセージ等の様々な映像が表示される他、大当り判定の結果を報知するためのデモ図柄が表示される。遊技領域４の右斜め下部には図柄表示部２４が設けられている。図柄表示部２４は、特別図柄表示部、普通図柄表示部、特別図柄記憶数表示ＬＥＤ、および普通図柄記憶数表示ＬＥＤを備える。
【００２４】
装飾枠１１の後方には、装飾体５５が設けられている。装飾体５５は、遊技盤２の後側に取り付けられる演出装置３０（図２参照）によって、動作可能に支持される。演出装置３０は、パチンコ機１が実行するリーチ演出等の種々の演出に応じて、装飾体５５を動作させる。演出装置３０の構成の詳細については、後述する。
【００２５】
本実施形態では、第一始動口１５へ遊技球が入賞すると、大当り判定が行われ、大当たりであると判定されると、大入賞口１７の開閉部材が開放される大当たり遊技が実行される。大入賞口１７に入賞した遊技球の流路には、特定領域と非特定領域とが形成されている。パチンコ機１では、大当たり遊技中に遊技球が大入賞口１７内の特定領域を通過することが、大当たり遊技終了後に確率変動状態を生起する条件となっている。
【００２６】
図２を参照し、演出装置３０の構成の概略を説明する。本実施形態の演出装置３０は、上下動モータ６２、装飾体モータ２０２（図４参照）、回転装飾体５１、揺動装飾体５２、及び支持体５９を備える。回転装飾体５１と揺動装飾体５２は、後方から前方へ順に並んで設けられ、正面視で、所謂「１８禁」を一体的にかたどる。以下、回転装飾体５１と揺動装飾体５２を総称する場合には、「装飾体５５」という。支持体５９（図６参照）は、装飾体５５等を支持する円板部６６と、円板部６６の周端部から後側へ立設された側壁部６７とを備える。
【００２７】
上下動モータ６２は装飾体５５を上下動させる。装飾体モータ２０２は、回転装飾体５１を回転させ、且つ、揺動装飾体５２を揺動させることが可能である。詳細には、装飾体モータ２０２が正方向に駆動すると、回転装飾体５１は正面視で時計回りに回転し、揺動装飾体５２は静止した状態を維持する。一方、装飾体モータ２０２が正方向とは反対の逆方向に駆動すると、回転装飾体５１は正面視で反時計回りに回転し、且つ揺動装飾体５２は上下方向に往復揺動する。
【００２８】
演出装置３０は、上下駆動機構４０（図２参照）、可動支持体２５０（図４参照）、支持機構２００、及び連結機構３００（図６参照）を備える。上下駆動機構４０は、可動支持体２５０を上下動させる。可動支持体２５０は、支持機構２００及び連結機構３００を支持する。支持機構２００は、回転装飾体５１を回転可能に支持し、且つ揺動装飾体５２を揺動可能に支持する。連結機構３００は、回転装飾体５１と揺動装飾体５２とをそれぞれ装飾体モータ２０２に連結する。以下、各機構の構成の詳細を順に説明する。
【００２９】
図２に示すように、上下駆動機構４０は、支持体６０、レール９５、アーム部材７０、上下動モータ６２、ピニオン８１、および移動部材１１０を備える。支持体６０は、左右方向に長い正面視で略矩形状の板状部材であり、装飾枠１１（図１参照）の下部の後側で固定されている。レール９５は、支持体６０の前面右部に設けられる（図１２参照）。レール９５（図３参照）は、上下方向に延びる垂直部９５Ａ（図２参照）と、垂直部９５Ａの上端から上後方に延びる傾斜部９５Ｂ（図３参照）を備える。アーム部材７０は、支持体６０の左端部から前方へ突出する軸部７２によって、回転可能に支持される。上下動モータ６２は、ギヤ等を介してアーム部材７０に連結するパルスモータである。上下動モータ６２は、軸部７２を中心にアーム部材７０を回転可能である。
【００３０】
ピニオン８１は、軸部７２から離隔した位置でアーム部材７０に回転可能に設けられる。ピニオン８１は、前後方向に延びる軸線を中心に回転可能である。ピニオン８１の周面に設けられた歯部８１Ａは、支持体６０に固定される歯部９２に噛み合う。歯部９２は上下方向に延びる。移動部材１１０は、レール９５の前方に配置された、正面視で略矩形状の板状である。移動部材１１０は、レール９５よりも左方に設けられたスライドレール９０によって、上下動可能に支持される。移動部材１１０の左面には、上下方向に延びる歯部１１２が形成される。歯部１１２は、歯部９２とは反対側から、ピニオン８１の歯部８１Ａに噛み合う。
【００３１】
また、移動部材１１０の上端部には、可動支持体２５０（図４参照）が固定される。これにより、装飾体５５は、移動部材１１０と共に上下動可能である。移動部材１１０には、矩形孔１０８（図２参照）が設けられる。矩形孔１０８は、レール９５の前側に設けられる。
【００３２】
図２で示される上下動モータ６２が、アーム部材７０を正面視で反時計回り（矢印Ｐ方向）に回転させると、ピニオン８１は、正面視で反時計回り（矢印Ｑ方向）に回転しながら、歯部９２を伝って上昇する。これにより、歯部１１２が押し上げられるので、移動部材１１０は、装飾体５５と共に上昇する。一方、上下動モータ６２が、アーム部材７０を正面視で時計回りに回転させると、ピニオン８１は、正面視で時計回りに回転しながら、歯部９２を伝って下降する。これにより、歯部１１２が押し下げられるので、移動部材１１０は装飾体５５と共に下降する。
【００３３】
以下、装飾体５５の移動範囲の上端を「上端位置」（図１２参照）といい、移動範囲の下端を「下端位置」（図２参照）という。図１、図３では、下端位置にある装飾体５５を実線によって図示し、上端位置にある装飾体５５を二点鎖線によって図示する。下端位置にある装飾体５５の下部は、装飾枠１１によって視認不能となる。一方、上端位置にある装飾体５５は、上下方向に亘って、表示面２７の前方で視認可能となる。
【００３４】
図４に示すように、可動支持体２５０は、支持体５９の後面の下部に設けられる。可動支持体２５０は、支持壁部１２２、延設部１２６、及びローラ１２８を備える。支持壁部１２２は、移動部材１１０（図２参照）の前面の上端部に固定される。支持壁部１２２は、左右方向に延びる支持軸１２４を支持する。延設部１２６は、支持軸１２４によって回転可能に支持される。延設部１２６は、連結部材１２９を介して、支持体５９の後面に連結する。これにより、支持体５９は、支持軸１２４の軸線Ｙを中心に回転可能に支持される。連結部材１２９と支持壁部１２２との間には、コイルバネ１２５が圧縮された状態で配置される。コイルバネ１２５は、延設部１２６を、軸線Ｙを中心に左側面視で反時計回りに付勢している。
【００３５】
延設部１２６は、支持軸１２４から下方に延び、更に後方へ折れ曲がる部材であり、移動部材１１０の矩形孔１０８（図２参照）に挿通される。ローラ１２８は、延設部１２６の後端部に回転可能に設けられる。ローラ１２８は、レール９５に沿って転動可能である。ローラ１２８は、装飾体５５が下端位置にある場合に、コイルバネ１２５の付勢力によって垂直部９５Ａの前面下部に押し当てられる（図２参照）。また、ローラ１２８は、装飾体５５が上端位置にある場合に、傾斜部９５Ｂよりも上方に位置する（図３参照）。このとき、延設部１２６が支持壁部１２２に接触することで、コイルバネ１２５に付勢される延設部１２６は、回転を規制される。
【００３６】
図４に示すように、支持機構２００は、支持壁部１２２の上方で支持体５９の後面に設けられる。支持機構２００は、装飾体モータ２０２、動力伝達部２７０、及び揺動体２４６を備える。装飾体モータ２０２は、支持体５９の後面の左上部に設けられる。装飾体モータ２０２は、正方向と逆方向とに駆動するパルスモータである。
【００３７】
動力伝達部２７０は、装飾体モータ２０２の右側で装飾体５５の後面に設けられる。動力伝達部２７０は、駆動ギヤ２７５、カム部材２８０、及びクラッチ部（図示略）を備える。駆動ギヤ２７５は、支持体５９の円板部６６の厚さ方向と平行に延びる軸線Ｋを中心に回転可能な円筒体である。駆動ギヤ２７５は、後述の回転部材２７３等を介して装飾体モータ２０２に連結する。駆動ギヤ２７５は、装飾体モータ２０２の駆動する方向に応じて、背面視で時計回り又は反時計回りに回転する。
【００３８】
カム部材２８０は、駆動ギヤ２７５の内側で軸線Ｋを中心に回転可能に設けられた円筒体である。カム部材２８０の後端面には、カム面２８５が形成される。カム面２８５は、軸線Ｋを中心とした周方向に沿って、後側へ延びる部位と、前側に延びる部位とを含む。クラッチ部（図示略）は、駆動ギヤ２７５とカム部材２８０との間に設けられる。クラッチ部が設けられることによって、カム部材２８０は、装飾体モータ２０２の正方向への駆動力によっては回転せず、装飾体モータ２０２の逆方向への駆動力によって駆動ギヤ２７５と一体的に回転する。
【００３９】
図５に示すように、揺動体２４６は、支持体５９に設けられた一対の支持壁部２４２によって、支持される。揺動体２４６は、左右方向に延びる軸線を中心に、正面視で上下方向に往復揺動可能である。揺動体２４６には、挿通孔２３６（図６参照）が設けられる。挿通孔２３６は、揺動体２４６を略前後方向に貫通する円形状である。以下、挿通孔２３６の軸線を、「軸線Ｔ」という。軸線Ｔは、上述の軸線Ｋ（図４参照）と平行である。揺動体２４６は、揺動体２４６の前側に配置された揺動装飾体５２に、挿通孔２３６を介して連結する。
【００４０】
揺動体２４６には、上側へ延びる延設部２４９が設けられる。延設部２４９の上端部には、右方へ突出するピン２５１が固定される。ピン２５１は揺動体２４６と一体的に揺動可能である。ピン２５１は、カム部材２８０のカム面２８５（図４参照）の後方に位置する。揺動装飾体５２の自重により、揺動体２４６が揺動中心となる軸線を中心に右側面視で反時計回りに付勢される。これにより、ピン２５１はカム面２８５に押圧される。従って、ピン２５１が、回転するカム面２８５に対して摺動すると、揺動体２４６は上下方向に往復揺動する。
【００４１】
図６〜図９を参照し、連結機構３００の構成を、装飾体５５が上端位置にある状態を基準に説明する。尚、図７では支持体５９の図示を省略する（図１０も同様）。図６に示すように、連結機構３００は、支持体５９、回転部材２７３、装飾体５５、及び固定部１５０を備える。上述したように、支持体５９は、円板部６６と側壁部６７とを備える。円板部６６の中央部には、円形状の挿通孔６８Ａが設けられる。挿通孔６８Ａは、軸線Ｔを中心とした円形状であり、且つ円板部６６を厚さ方向に貫通する。挿通孔６８Ａは、揺動体２４６の挿通孔２３６の前方に位置する。回転部材２７３は、軸線Ｔと同軸の筒状のギヤであり、支持体５９の円板部６６の後面に回転可能に支持される。回転部材２７３の周面に設けられた歯部は、他のギヤを介して、装飾体モータ２０２（図４参照）と、駆動ギヤ２７５（図４参照）とに連結する。
【００４２】
回転部材２７３の後端部には、一対の係合部２７９が設けられる。一対の係合部２７９は、軸線Ｔに対して対称となる位置にあり、且つ、回転部材２７３から前側へ延びる。一対の係合部２７９は、それぞれ、後述する回転装飾体５１の一対の係合孔部７７Ａ（図６参照）に係合する。従って、装飾体モータ２０２の駆動力が回転部材２７３に伝達されることにより、回転装飾体５１は、回転部材２７３と一体的に回転可能である。
【００４３】
図７に示すように、係合部２７９は、延設部２７１、突出部２７２、及び突出片２７４を含む。延設部２７１は、回転部材２７３から前方に延び、支持体５９の挿通孔６８Ａ（図６参照）に挿通されている。延設部２７１は、回転部材２７３との接続部を支点に、離隔方向（矢印Ｌ１方向）と近接方向（矢印Ｌ２方向）とに弾性変形可能である。離隔方向は、軸線Ｔから離隔する方向である。近接方向は、軸線Ｔに近接する方向である。以下、延設部２７１の近接方向側の端面を、「接触面２７１Ａ」という。接触面２７１Ａは、略平面状に形成され、前後方向に延びる。
【００４４】
突出部２７２は、延設部２７１から離隔方向へ突出する。突出部２７２の延設部２７１からの突出量は、図１０の寸法Ｅによって示される。突出部２７２（図７参照）は、一例として、延設部２７１の後端部に設けられており、支持体５９の挿通孔６８Ａ（図６参照）の内側に配置されている。突出部２７２のうち、離隔方向且つ前方向の端面は、傾斜面２７２Ａである。傾斜面２７２Ａは、前側に向かうにつれて近接方向に向かう方向に傾斜する。突出片２７４は、延設部２７１の接触面２７１Ａから近接方向へ向けて突出する。突出片２７４は、一例として、突出部２７２と略同じ前後方向位置に設けられる。
【００４５】
図７では、係合部２７９は、延設部２７１が弾性変形する前の状態（以下、「自然状態」という）で配置されている。また、延設部２７１が近接方向に向けて弾性変形した場合の係合部２７９を、二点鎖線によって図示する。延設部２７１が弾性変形すると、突出部２７２は、自身の突出量分、近接方向へ変位する。以下の説明では、延設部２７１の弾性変形に伴って係合部２７９が通過する領域を「通過領域Ｒ」という。図７では、図面を見易くする都合、通過領域Ｒの前部のみを二点鎖線によって図示する。
【００４６】
図６に示すように、回転部材２７３の内周面には、リブ２７８が設けられる。リブ２７８は、回転部材２７３の内周面の周方向において、係合部２７９の両側にそれぞれ設けられる。つまり、リブ２７８は、回転部材２７３の内周面に四つ設けられる。図６では四つのリブ２７８の二つを図示する。リブ２７８が設けられることによって、一対の係合部２７９の延設部２７１が近接方向に向けて弾性変形した場合であっても、回転部材２７３は変形しにくい。
【００４７】
図６及び図７に示すように、回転装飾体５１は、支持体５９の円板部６６の前方に配置される略円板状である。回転装飾体５１の中心部には、軸線Ｔを中心とする円形状の孔部５１Ａ（図７参照）が設けられる。孔部５１Ａの周端部には、後側へ突出する筒状体７７が設けられる。筒状体７７は、軸線Ｔと同軸の筒状であり、支持体５９の挿通孔６８Ａに挿通される。筒状体７７の内側には、上述した一対の係合部２７９が挿通されている。
【００４８】
筒状体７７の前端部には、一対の係合孔部７７Ａが設けられる。係合孔部７７Ａは、筒状体７７を厚さ方向に貫通する。一対の係合孔部７７Ａには、それぞれ、一対の係合部２７９が係合する。より詳細には、係合部２７９の突出部２７２が、係合孔部７７Ａに進入し、係合孔部７７Ａの後端部である対向部７７Ｂは、突出部２７２に後方から対向する。
【００４９】
図６に示すように、軸線Ｔを基準とした周方向において、一対の係合孔部７７Ａの中間位置となる二つの位置には、それぞれ、矩形孔部７７Ｃが設けられる。一対の矩形孔部７７Ｃは、それぞれ、筒状体７７の軸線方向の略中央部を、筒状体７７の厚さ方向に貫通する。筒状体７７の後端には、一対の進入孔部７７Ｄが設けられる。一対の進入孔部７７Ｄは、それぞれ、一対の係合孔部７７Ａの後方に配置される。進入孔部７７Ｄは、筒状体７７の後端を前方に向けて切り欠いた、前後方向に延びる矩形状である。進入孔部７７Ｄには、係合孔部７７Ａに係合する前の係合部２７９が進入可能である。
【００５０】
図９に示すように、筒状体７７の周方向において、係合孔部７７Ａと矩形孔部７７Ｃとの間となる四箇所には、受部７７Ｅが設けられる。受部７７Ｅは、筒状体７７の内周面から近接方向に向けて突出する凸部である。
【００５１】
図７及び図８を参照し、固定部１５０を説明する。固定部１５０は、受部７７Ｅによって後側から支持される。固定部１５０は、一例として、軸線Ｔを中心とした略長円状の枠である。本実施形態では、固定部１５０は、前後方向に幅を有する帯状部材からなる。固定部１５０は、離隔方向と近接方向とに弾性変形可能である。
【００５２】
固定部１５０は、一対の延伸部１５２と、一対の湾曲部１５４を含む。一対の延伸部１５２は、軸線Ｔを間にして互いに対向する。一対の延伸部１５２は、近接方向に向けて弾性変形した状態で、一対の係合部２７９の接触面２７１Ａに対向して接触する。一対の延伸部１５２は、一対の係合部２７９を離隔方向へ付勢する。これにより、固定部１５０は、接触面２７１Ａに接触する位置にて、固定される。また、一対の延伸部１５２の延設方向の中央部は、それぞれ、一対の係合部２７９の突出片２７４に、後方から対向する。
【００５３】
一対の湾曲部１５４の一方は、延伸部１５２のそれぞれの一方側の端部に接続し、一対の湾曲部１５４の他方は、延伸部１５２のそれぞれの他方側の端部に接続する。湾曲部１５４は、円弧状に湾曲する。湾曲部１５４の延設方向における長さは、延伸部１５２の延設方向における長さよりも短い。
【００５４】
図６に示すように、揺動装飾体５２は、回転装飾体５１の前方に配置された板状の装飾部５２Ａと、装飾部５２Ａの後面から後側に延びる棒状部５２Ｂとを備える。棒状部５２Ｂは軸線Ｔに沿って延び、回転装飾体５１の孔部５１Ａ（図８参照）、固定部１５０の内側空間、及び支持体５９の挿通孔６８Ａに挿通されている。棒状部５２Ｂの後端部に設けられた締結穴５２Ｃは、上述した揺動体２４６の挿通孔２３６に前側から対向する。螺子２５９（図５参照）が、挿通孔２３６に挿通されて、締結穴５２Ｃに締結されることで、棒状部５２Ｂは揺動体２４６に固定される。従って、揺動装飾体５２と揺動体２４６は、一体的に揺動可能である。
【００５５】
図６、図７、図１０、及び図１１を参照し、装飾体５５、固定部１５０、及び回転部材２７３を支持体５９に組み付ける方法を説明する。図６及び図１０に示すように、はじめに、組立作業者は、回転装飾体５１の筒状体７７を、支持体５９の挿通孔６８Ａに前方から挿通し、さらに、回転部材２７３を、支持体５９の円板部６６に取り付ける。回転部材２７３が取り付けられる過程で、一対の係合部２７９は、それぞれ、回転装飾体５１の一対の進入孔部７７Ｄの内側に進入し（図１０参照）、一対の傾斜面２７２Ａは、それぞれ、一対の進入孔部７７Ｄの前端部に接触する（図１０参照）。
【００５６】
組立作業者が、さらに回転部材２７３を前方（図１０の矢印Ｗ方向）に押すと、一対の係合部２７９の延設部２７１が、それぞれ、近接方向に向けて弾性変形する。これにより、一対の突出部２７２が、筒状体７７の内周面に対して摺動しながら、回転部材２７３は前方に移動する。一対の突出部２７２が対向部７７Ｂよりも前方まで移動すると、延設部２７１は、弾性力によって離隔方向に向けて変位する。図７に示すように、一対の係合部２７９は、弾性変形していた状態から自然状態に戻り、一対の係合孔部７７Ａに係合する。
【００５７】
図１１に示すように、組立作業者は、固定部１５０の一対の延伸部１５２を持って近接方向に向けて弾性変形させた後（矢印Ｌ１）、固定部１５０を一対の係合部２７９の内側に前方から挿入する。組立作業者は、固定部１５０を、回転装飾体５１の孔部５１Ａ、及び一対の突出片２７４の間を順に通過させて、受部７７Ｅに接触させる。組立作業者が、固定部１５０から手を離すと、固定部１５０の一対の延伸部１５２は、それぞれ、一対の係合部２７９の接触面２７１Ａに、対向して接触する。このとき、一対の延伸部１５２は、近接方向に向けて弾性変形した状態を維持する。従って、受部７７Ｅによって支持される固定部１５０は、接触面２７１Ａに接触して付勢する状態で、固定される。固定部１５０の一対の延伸部１５２は、一対の係合部２７９の突出片２７４に対して後方から対向するので、固定部１５０は、前側への移動を制限される。
【００５８】
図６に示すように、組立作業者は、揺動装飾体５２の棒状部５２Ｂを、固定部１５０の内側空間、筒状体７７の内側空間、支持体５９の挿通孔６８Ａ、及び回転部材２７３の内側空間に、前方から挿通する。揺動装飾体５２の締結穴５２Ｃは、揺動体２４６の挿通孔２３６に前方から対向する。組立作業者は、螺子２５９（図５参照）を、挿通孔２３６に挿通して締結穴５２Ｃに締結する。以上の作業によって、装飾体５５、固定部１５０、及び回転部材２７３は、支持体５９に組み付けられる。
【００５９】
図３及び図１２を参照し、演出装置３０が装飾体５５を動作させる概要を説明する。装飾体５５が動作する前、装飾体５５は下端位置にある。上下動モータ６２が駆動することによって、移動部材１１０は、下端位置にあった装飾体５５を上端位置に向けて移動させる。ローラ１２８は、レール９５の垂直部９５Ａと、傾斜部９５Ｂとに対して順に転動した後、レール９５よりも上方に移動する。ローラ１２８が傾斜部９５Ｂに対して転動する過程で、装飾体５５の上下方向に対する角度である特定角度は、徐々に変化する。図３では、装飾体５５の特定角度の一例を図示する。ローラ１２８がレール９５よりも上方に移動する間、装飾体５５の特定角度は一定になる。移動部材１１０が上端位置に到達したとき、上下動モータ６２は回転駆動を停止する。
【００６０】
上下動モータ６２が回転駆動を停止した後、装飾体モータ２０２が正方向に回転駆動することによって、回転装飾体５１は、正面視で時計回り（図１２の矢印Ｍ１方向）に回転する。このとき、揺動装飾体５２は初期揺動位置にて停止した状態を維持する。所定時間が経過した後、装飾体モータ２０２は正方向に代えて、逆方向に駆動する。回転装飾体５１は正面視で反時計回り（図１２の矢印Ｍ２方向）に回転し、且つ、揺動装飾体５２は上下方向（図１２の矢印Ｍ３方向）に往復揺動する。所定時間が経過した後、装飾体モータ２０２は、逆方向への回転駆動を停止する。
【００６１】
その後、上下動モータ６２が回転駆動し、装飾体５５は上端位置から下方に向けて移動する。ローラ１２８が、レール９５の傾斜部９５Ｂに対して転動する間、装飾体５５の特定角度は徐々に変化する。ローラ１２８がレール９５の垂直部９５Ａに対して転動する間、装飾体５５の特定角度は、一定である。装飾体５５が下端位置に到達したときに、装飾体モータ２０２が回転駆動を停止することによって、演出装置３０は、装飾体５５の動作を停止する。
【００６２】
図７を参照し、装飾体５５の動作時に固定部１５０が果たす機能について説明する。装飾体５５の動作に伴って、一対の係合部２７９にはそれぞれ、近接方向を向く外力が作用する場合がある。本実施形態では、係合部２７９に作用する近接方向を向く外力は、一対の係合部２７９と一対の係合孔部７７Ａとの係合を解除する力に該当する。以下、この外力を「係合解除力」と称す。係合解除力は、例えば、以下の三つの場合に発生する。第一に、装飾体５５が下端位置と上端位置との間で移動する場合に、係合解除力は発生する。第二に、揺動装飾体５２が揺動する場合に、係合解除力は発生する。第三に、回転装飾体５１が回転する場合に、係合解除力は発生する。
【００６３】
特に、第一の場合では、ローラ１２８が上方からレール９５の傾斜部９５Ｂに接触した瞬間に、回転部材２７３と回転装飾体５１とに振動が伝播し、比較的大きな係合解除力が発生する。また、第二の場合では、揺動装飾体５２の往復揺動に起因して、回転部材２７３と回転装飾体５１とに振動が伝播すると、比較的大きな係合解除力が発生する。さらに、第三の場合では、演出装置３０の組立過程でのバラツキ、演出装置３０を構成する各部材の形状のバラツキ等によって、回転部材２７３が軸線Ｔに対して偏心して回転する結果、比較的大きな係合解除力が発生する。
【００６４】
しかしながら、本実施形態では、固定部１５０が一対の延設部２７１を離隔方向に付勢しているので、係合解除力が発生しても、一対の係合部２７９の延設部２７１は、それぞれ、近接方向に弾性変形しにくい。また、たとえ一対の延設部２７１が一時的に弾性変形しても、その変形量は、一対の突出部２７２の突出量（図１０の寸法Ｅ）より小さい。従って、係合解除力が発生しても、一対の係合部２７９は、一対の係合孔部７７Ａから外れにくい。よって、回転部材２７３は、回転装飾体５１の筒状体７７から外れにくい。
【００６５】
以上説明したように、固定部１５０は、接触面２７１Ａに接触する位置で、固定される。換言すると、固定部１５０の少なくとも一部は、係合部２７９の通過領域Ｒに進入する位置で固定される。従って、一対の係合部２７９は、係合解除力によって近接方向へ付勢されても、一対の係合孔部７７Ａから外れにくい。よって、一対の係合部２７９に係合する回転装飾体５１を、回転部材２７３から外れにくくできる。
【００６６】
一対の係合部２７９には、それぞれ、突出片２７４が設けられる。突出片２７４が、前側から固定部１５０に対向するので、固定部１５０は、前側への移動を制限される。よって、固定部１５０が外れにくくなるので、回転装飾体５１は、回転部材２７３から更に外れにくくなる。
【００６７】
固定部１５０は、受部７７Ｅによって後方から支持される。これにより、固定部１５０は、一対の係合部２７９の接触面２７１Ａに安定して接触して、延設部２７１の弾性変形を規制できる。よって、回転装飾体５１は、回転部材２７３から更に外れにくくなる。
【００６８】
軸線Ｔを囲む枠状に形成された固定部１５０の内側には、空間が形成される。本実施形態では、固定部１５０の内側空間は、揺動装飾体５２の棒状部５２Ｂが配置されるスペースに活用される。また、固定部１５０が帯状部材であるので、固定部１５０の配置スペースは小さくなる。よって、パチンコ機１を構成する部材の配置スペースを有効に利用できる。
【００６９】
固定部１５０は、近接方向へ弾性変形可能である。組立作業者は、一対の延伸部１５２を近接方向へ弾性変形させることによって、固定部１５０を、一対の係合部２７９の突出片２７４の間を通過させ易い。よって、パチンコ機１は組立性を向上できる。また、枠状である固定部１５０は、近接方向と離隔方向とに向けて弾性変形し易くなるので、パチンコ機１の組立性は、更に向上する。
【００７０】
固定部１５０の一対の延伸部１５２は、近接方向に向けて弾性変形した状態で、一対の係合部２７９の接触面２７１Ａに接触する。これにより、一対の延伸部１５２が、一対の係合部２７９の延設部２７１を離隔方向へ安定して付勢できるので、一対の係合部２７９は、一対の係合孔部７７Ａから更に外れにくくなる。
【００７１】
一対の係合部２７９の接触面２７１Ａは、延伸部１５２に対向して接触する。従って、接触面２７１Ａと延伸部１５２との接触は、安定化する。固定部１５０は、一対の延設部２７１が変形するのを安定して規制できる。よって、回転装飾体５１は回転部材２７３から更に外れにくくなる。
【００７２】
一対の係合部２７９は、軸線Ｔを基準として対称な位置に配置される。換言すると、係合部２７９は、軸線Ｔを基準とした周方向に沿って回転部材２７３に複数配置される。係合部２７９が係合孔部７７Ａに係合する箇所が増大するので、回転装飾体５１は回転部材２７３から更に外れにくくなる。
【００７３】
装飾体モータ２０２の駆動に伴って、回転部材２７３は回転する。この場合に、係合解除力が発生した場合であっても、回転部材２７３は、回転装飾体５１から外れにくい。また、上下動モータ６２の駆動に伴って、回転部材２７３と回転装飾体５１は上下動する。特に、ローラ１２８が傾斜部９５Ｂに上方から接触して、装飾体５５の所定角度が変化するときに、比較的大きな係合解除力が発生する。この場合であっても、一対の係合部２７９は、それぞれ、一対の係合孔部７７Ａから外れにくい。
【００７４】
上記実施形態において、パチンコ機１は、本発明の「遊技機」の一例である。回転部材２７３は、本発明の「第一部材」の一例である。回転装飾体５１は、本発明の「第二部材」の一例である。受部７７Ｅは、本発明の「支持部」の一例である。装飾体モータ２０２は、本発明の「第一駆動源」の一例である。上下動モータ６２は、本発明の「第二駆動源」の一例である。支持壁部１２２、ローラ１２８、及び移動部材１１０は、本発明の「移動体」の一例である。レール９５は、本発明の「案内部」の一例である。支持壁部１２２は、本発明の「支持部材」の一例である。ローラ１２８は、本発明の「摺動部」の一例である。軸線Ｔは、本発明の「第一軸線」の一例である。軸線Ｙは、本発明の「第二軸線」の一例である。近接方向は、本発明の「反対方向」及び「係合部から離隔する方向」の一例である。離隔方向は、本発明の「特定方向」の一例である。前方向は、本発明の「第一所定方向」の一例である。後方向は、本発明の「第二所定方向」の一例である。近接方向と離隔方向は、本発明の「第一所定方向と交差する方向」の一例である。左右方向は、本発明の「動作方向と交差する方向」の一例である。通過領域Ｒは、本発明の「係合部が通過する領域」の一例である。
【００７５】
本発明は、上記実施形態に限定されず、種々の変形が可能である。固定部１５０は、弾性変形可能な部材であることに限定されない。固定部１５０は、例えば、剛体であってもよいし、所定の外力が加えられることで塑性変形する部材であってもよい。また、固定部１５０は、一対の係合部２７９に離隔する位置で固定されていてもよい。この場合、固定部１５０の少なくとも一部が、一対の係合部２７９のそれぞれに対応する二つの通過領域Ｒの少なくとも一つに進入していれば、回転部材２７３は回転装飾体５１から外れにくい。
【００７６】
固定部１５０は、帯状部材であることに限定されない。図１３では、固定部１５０の変形例である固定部１５１を図示する。固定部１５１は、一本の針金が曲げられることで形成された線状部材である。この場合、固定部１５１は、例えば軸線Ｔを中心とした略円形状である。固定部１５１には、周方向の一部が開環する開口部分１５１Ａが設けられる。開口部分１５１Ａが設けられることによって、固定部１５１は、内側空間を狭める方向に弾性変形し易くなる。よって、組立作業者は、固定部１５０を一対の係合部２７９の内側に更に取り付け易い。故に、パチンコ機１は組立性を向上できる。
【００７７】
固定部１５０は、延設部２７１の接触面２７１Ａに接触することに限定されない。固定部１５０は、突出部２７２の前端面又は後端面に接触してもよい。この場合、例えば前後方向に延びる棒状に形成された固定部１５０の後端部が、突出部２７２の前端面に設けられた嵌合孔に嵌合してもよい。さらに、固定部１５０の前端部が、他の固定された部材に連結してもよい。この場合であっても、固定部１５０は、係合部２７９の弾性変形を規制できる。
【００７８】
筒状体７７は、係合孔部７７Ａを備える代わりに、自身の内周面の一部が離隔方向へ凹む凹部を備えてもよい。この場合、突出部２７２が、筒状体７７の備える凹部に嵌ることで、一対の係合部２７９は、回転装飾体５１に係合する。このとき、一対の係合部２７９は、例えば、自然状態で筒状体７７に係合する代わりに、近接方向に向けて弾性変形した状態で筒状体７７に係合してもよい。
【００７９】
一対の係合部２７９の延設部２７１は、筒状体７７の内側に挿通されることに限定されない。例えば、延設部２７１は、筒状体７７に対して離隔方向側に設けられてもよい。本変形例では、突出部２７２は、延設部２７１から近接方向側へ突出する。この場合、延設部２７１が離隔方向側へ弾性変形することによって、一対の係合部２７９がそれぞれ一対の係合孔部７７Ａから外れる。従って、固定部１５０の少なくとも一部は、延設部２７１に対して離隔方向側となる位置に配置される。
【００８０】
係合部２７９と係合孔部７７Ａは、それぞれ、三個以上設けられてもよいし、一個だけ設けられても良い。係合部２７９と係合孔部７７Ａがそれぞれ三個以上設けられる場合には、回転装飾体５１は回転部材２７３に対して更に外れにくくなる。この場合、固定部１５０は、三個の係合部２７９のそれぞれに対応する三個の通過領域Ｒの少なくとも一つに進入していればよい。また、係合部２７９と係合孔部７７Ａが一個だけ設けられる場合、回転装飾体５１と回転部材２７３の構造を簡易にできる。また、延設部２７１、突出部２７２、及び突出片２７４は、一体的に形成される代わりに、別体に形成されていてもよい。また、係合部２７９は、突出片２７４を備えなくてもよい。
【００８１】
上下動モータ６２は、移動部材１１０を上下方向に移動させる代わりに、左右方向又は前後方向に沿って移動させてもよいし、所定方向に延びる軸線を中心に回転してもよい。この場合、装飾体５５は、移動部材１１０と共に動作する。また、レール９５に代えて移動部材１１０の動作方向に沿って延びる溝が設けられてもよい。この場合、移動部材１１０には、溝に対して摺動可能に連結する連結部材（例えばブッシュ）等が設けられてもよい。本変形例において、溝は本発明の「案内部」の一例であり、連結部材は本発明の「摺動部」の一例である。
【００８２】
上下動モータ６２及び装飾体モータ２０２は、パルスモータに代えて、ＤＣモータ又はＡＣモータであってもよい。また、装飾体５５の駆動源として、上下動モータ６２及び装飾体モータ２０２といったモータが採用される代わりに、ソレノイド又はエアシリンダが採用されてもよいし、遊技領域４を流下する遊技球を受けることで生じた力を装飾体５５に伝達する機構が駆動源として採用されてもよい。
【００８３】
本発明は、動作部材である回転部材２７３と、回転装飾体５１とを係合させる構造以外にも、適用可能である。本発明は、例えばパチンコ機１の制御基板を支持する支持板を、遊技盤２の裏側にある固定板に係合する構造に、適用されてもよい。
【００８４】
図１４及び図１５を参照し、一対の係合部２７９と一対の係合孔部７７Ａとの係合が解除されるのを制限する第二実施形態を説明する。以下、第一実施形態と同様の構成については、図面上で同一の符号を付与し、説明を省略する。図１４では、回転部材２７３の変形例である回転部材３３３を図示する。回転部材３３３は、一対の凸部３３０が設けられている点を除き、回転部材２７３（図６参照）と同じ構成を有する。凸部３３０は、回転部材２７３の内周面の後端部に設けられる。一対の凸部３３０は、回転部材３３３の回転方向において、一対の係合部２７９の中間となる二つの位置に、それぞれ設けられる。二つの凸部３３０は、それぞれ、筒状体７７の上述した矩形孔部７７Ｃ（図１５参照）に係合する。
【００８５】
凸部３３０は、傾斜面３３１と係合面３３２とを含む。傾斜面３３１は、回転部材３３３の内周面の後端から、後側且つ近接方向側に向けて傾斜して延びる。係合面３３２は、傾斜面３３１の後端から離隔方向に向けて延出し、回転部材３３３の内周面に接続する。係合面３３２は、筒状体７７の矩形孔部７７Ｃの後端部に対して、前方から対向する。これにより、凸部３３０は、矩形孔部７７Ｃに係合する。従って、回転部材３３３は筒状体７７に対して後方へ移動することを制限される。
【００８６】
詳細な図示は省略するが、回転装飾体５１が回転部材３３３に取り付けられる場合、組立作業者は、筒状体７７の進入孔部７７Ｄの後方に、係合部２７９を位置させると共に、矩形孔部７７Ｃの後方に、凸部３３０を位置させる。組立作業者が、回転部材３３３の内側空間に、前方から筒状体７７を挿通する過程で、筒状体７７の後端部が傾斜面３３１に対して摺動する。これにより、筒状体７７の後端部は近接方向に向けて弾性変形する。筒状体７７の矩形孔部７７Ｃの後端部が、係合面３３２よりも後方に移動すると、筒状体７７は、弾性変形する前の形状に戻る。結果、凸部３３０は矩形孔部７７Ｃに係合する（図１５参照）。尚、凸部３３０が矩形孔部７７Ｃに係合する過程で、一対の係合部２７９は一対の係合孔部７７Ａ（図６参照）に係合する。係合する過程は、第一実施形態で説明した通りであるので、説明を省略する。
【００８７】
凸部３３０と矩形孔部７７Ｃとが係合することによって、回転部材３３３は、筒状体７７に対して後方に移動することが規制される。よって、装飾体５５の動作に伴って係合解除力が発生し、係合部２７９の延設部２７１が近接方向へ弾性変位した場合であっても、回転部材３３３の前後方向位置は変わらないので、回転部材３３３は筒状体７７から外れにくい。
【００８８】
尚、回転装飾体５１が回転部材２７３に取り付けられる場合、筒状体７７が弾性変形する代わりに、回転部材３３３の内周面が、離隔方向に向けて弾性変形してもよい。また、第二実施形態では、固定部１５０が設けられていなくてもよい。
【００８９】
また、一対の凸部３３０は、回転部材３３３の内周面に代えて、外周面に設けられてもよい。この場合、一対の凸部３３０設けられる分、回転部材３３３は前後方向に長くなり、回転部材３３３の外周面の後部に、歯部が形成されてもよい。一対の凸部３３０が回転部材３３３の外周面に設けられる場合、回転部材３３３が、筒状体７７の内側に挿通される。
【００９０】
図１６及び図１７を参照し、一対の係合部２７９と一対の係合孔部７７Ａとの係合が解除されるのを制限する第三実施形態を説明する。尚、上述した第一実施形態と共通する構成については、同一符号を用いて説明し、説明を省略する。図１６及び図１７では、支持体５９の変形例である支持体４５９と、回転装飾体５１の変形例である回転装飾体５５５と、回転部材２７３の変形例である回転部材５７３とを図示する。以下、回転装飾体５５５と揺動装飾体５２（図１２参照）とを総称する場合、「装飾体５５０」と称す。尚、図１６では、装飾体モータ２０２（図４参照）の図示を省略する。
【００９１】
支持体４５９は、上述の円板部６６と、側壁部４６７とを含む。側壁部４６７は円板部６６の周端部から後方へ立設する。側壁部４６７には、四つの延設部４６７Ａが、円板部６６の周方向に沿って等間隔に設けられる。延設部４６７Ａの前端部は、円板部６６よりも前側に配置される。延設部４６７Ａの前端部は、回転装飾体５５５に対して、後方から僅かな隙間を空けて対向する。尚、延設部４６７Ａは、回転装飾体５５５に後方から接触してもよい。
【００９２】
回転装飾体５５５は、筒状体７７に代えて筒状体５７７を備える点を除いて、回転装飾体５１（図６参照）と同じ構成を有する。筒状体５７７は、四つの孔部５７７Ａを備える。孔部５７７Ａは、筒状体５７７の後端面を前方に向けて切り欠いており、且つ、筒状体５７７を厚さ方向に貫通する。
【００９３】
回転部材５７３の内側には、複数の孔部５７７Ａのそれぞれに対応して、複数の進入部５７３Ａが設けられる。進入部５７３Ａは、回転部材５７３の内周面から近接方向に向けて突出する凸部である。軸線Ｔを基準とした周方向において、進入部５７３Ａの長さは、孔部５７７Ａの長さよりも僅かに短い。複数の進入部５７３Ａは、それぞれ、複数の孔部５７７Ａの内側に進入する。進入部５７３Ａの前端部は、僅かな隙間を空けて、孔部５７７Ａの前端部に対向する。進入部５７３Ａの前端部は、孔部５７７Ａの前端部に接触してもよい。
【００９４】
装飾体５５０の動作に伴って、ローラ１２８が傾斜部９５Ｂに転動して、装飾体５５０の特定角度が変化する場合、回転装飾体５５５が略前後方向に振動し、上述した係合解除力が発生する。しかしながら、第三実施形態では、回転装飾体５５５が振動しても、支持体５９の延設部４６７Ａが回転装飾体５５５の後面に接触する。又は、複数の進入部５７３Ａの少なくとも一つが、進入部５７３Ａに接触する。これにより、回転装飾体５５５の振動を、延設部４６７Ａと進入部５７３Ａの少なくとも一方が受けるので、係合解除力は低減する。よって、回転装飾体５５５が、筒状体５７７から外れにくい。
【００９５】
また第一実施形態と同様、回転部材３３３が軸線Ｔに対して偏心回転する場合には、係合解除力が発生する。しかしながら、この場合、複数の進入部５７３Ａの少なくとも一つが、孔部５７７Ａに接触することで、係合解除力は低減する。これにより、装飾体５５０は、支持体４５９に対して外れにくい。尚、第三実施形態において、固定部１５０は設けられなくてもよい。
【００９６】
尚、請求項、明細書および図面に記載される全ての要素（例えば、図柄表示装置、大入賞装置、始動入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「演出装置」は、ハード単体でも、ソフトを含んだものであっても構わない。
【００９７】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００９８】
１          パチンコ機
５１，５５５        回転装飾体
６０        支持体
６２        上下動モータ
７７Ｂ      対向部
７７Ｅ      受部
９５        レール
１１０      移動部材
１２２      支持壁部
１２８      ローラ
１５０，１５１      固定部
１５１Ａ    開口部分
２０２      装飾体モータ
２７１      延設部
２７１Ａ    接触面
２７２      突出部
２７３      回転部材
２７４      突出片
２７９      係合部
Ｔ          軸線
Ｒ          通過領域
Ｔ，Ｙ      軸線
【図１】
0006755036.tif 000002
【図２】
0006755036.tif 000003
【図３】
0006755036.tif 000004
【図４】
0006755036.tif 000005
【図５】
0006755036.tif 000006
【図６】
0006755036.tif 000007
【図７】
0006755036.tif 000008
【図８】
0006755036.tif 000009
【図９】
0006755036.tif 000010
【図１０】
0006755036.tif 000011
【図１１】
0006755036.tif 000012
【図１２】
0006755036.tif 000013
【図１３】
0006755036.tif 000014
【図１４】
0006755036.tif 000015
【図１５】
0006755036.tif 000016
【図１６】
0006755036.tif 000017
【図１７】
0006755036.tif 000018